(57)【要約】【課題】従来よりも接続安定性に優れた電気コネクタを提供する。【解決手段】レセプタクルコンタクト７０の接触部７５が、レセプタクルハウジング６０に保持された保持部７１に繋がってプラグ部受容空間６０ｓの入口に向けて斜め内方に延びるとともに先端が開放された二股状の二本の接触腕部７６，７６を有し、これら二本の接触腕部にそれぞれ相手電気部品の接触部と接触する接触局部７６ａ，７６ａが設けられ、これら二つの接触局部７６ａ，７６ａが、相手電気部品の接続部をプラグ部受容空間６０ｓ内に受容して相手接触部と接触するときに、受容方向およびその直交方向に位置をずらして接触するように設けられている。【選択図】図８
2014010964.tif 000002
【特許請求の範囲】
【請求項１】
受容空間を有するハウジングと、前記ハウジングに保持されたコンタクトとを備え、前記受容空間内に相手電気部品の相手接続部を受容して前記コンタクトの接触部を前記相手接続部における相手接触部と接触させて電気接続させる電気コネクタであって、
前記コンタクトの接触部は、前記ハウジングに保持された保持部に繋がって前記受容空間の入口に向けて斜め内方に延びるとともに先端が開放された二股状の二本の接触腕部を有し、
前記二本の接触腕部にそれぞれ前記相手接触部と接触する接触局部が設けられ、
これら二つの接触局部は、前記相手電気部品の相手接続部を前記受容空間内に受容して前記相手接触部と接触するときに、前記受容方向およびその直交方向に位置をずらして接触するように設けられていることを特徴とする電気コネクタ。
【請求項２】
前記二本の接触腕部の先端の位置が揃っていることを特徴とする請求項１に記載の電気コネクタ。
【請求項３】
前記コンタクトは、前記保持部に繋がって逆Ｕ字状に曲げられた第１曲部および前記第１曲部に繋がってＵ字状に曲げられた第２曲部を有し、前記第２曲部に前記接触部が繋がって設けられていることを特徴とする請求項１または２に記載の電気コネクタ。
【請求項４】
前記二本の接触腕部の間隔が基端側よりも先端側の方が狭くなっていることを特徴とする請求項１〜３のいずれかに記載の電気コネクタ。
【請求項５】
前記接触局部の前記相手接触部と接触する面が曲面状に形成されていることを特徴とする請求項１〜４のいずれかに記載の電気コネクタ。
【発明の詳細な説明】
【技術分野】
【０００１】
本発明は、二つの電気部品を電気接続させる電気コネクタに関する。
【背景技術】
【０００２】
このような電気コネクタとして、基板とケーブルを電気接続させる基板対ケーブルコネクタや、二つの基板を電気接続させる基板対基板コネクタなどがある。基板対基板コネクタは、一方の基板上に取り付けられたプラグコネクタと他方の基板上に取り付けられたレセプタクルコネクタとから構成され、プラグコネクタの接続部をレセプタクルコネクタの受容空間に嵌合させてコンタクト同士を接触させることにより、二つの基板とが電気接続されるように構成されている。
【０００３】
このような基板対基板コネクタには、両コネクタの位置ずれを吸収して電気接続を安定化させる等の目的から、第１および第２コネクタのうち一方のコネクタが基板上において変位可能に取り付けられたフローティングコネクタと称されるものが知られている（例えば、特許文献１を参照）。特許文献１に開示された電気コネクタは、レセプタクルコネクタにおいて、ハウジングに保持された保持部から受容空間の入口に斜めに延びた接触部を有するレセプタクルコンタクトを備えて構成され、プラグコネクタの接続部がレセプタクルコネクタの受容空間に嵌合されると、レセプタクルコンタクトの接触部がプラグコンタクトと接触してレセプタクルコンタクトが弾性変形することにより両コンタクトの接触状態が保持され、このとき両コンタクトは１点接触するように構成されている。
【先行技術文献】
【特許文献】
【０００４】
【特許文献１】特開２００９‐２３０９４３号公報
【発明の概要】
【発明が解決しようとする課題】
【０００５】
特許文献１に開示された電気コネクタでは、上記のようにフローティング構造を採用することにより電気接続の安定化を図っているが、より一層の接続安定性に優れた電気コネクタが求められている。
【０００６】
本発明は上記課題に鑑みてなされたものであり、従来よりも接続安定性に優れた電気コネクタを提供することを目的とする。
【課題を解決するための手段】
【０００７】
上記目的を達成するため、本発明に係る電気コネクタは、受容空間（例えば、実施形態におけるプラグ部受容空間６０ｓ）を有するハウジング（例えば、実施形態におけるレセプタクルハウジング６０）と、前記ハウジングに保持されたコンタクト（例えば、実施形態におけるレセプタクルコンタクト７０）とを備え、前記受容空間内に相手電気部品（例えば、実施形態におけるプラグコネクタ１０）の相手接続部（例えば、実施形態におけるプラグ部２９）を受容して前記コンタクトの接触部（例えば、実施形態におけるレセプタクルコンタクト７０の接触部７５）を前記相手接続部における相手接触部（例えば、実施形態におけるプラグコンタクト３０の接触部３５）と接触させて電気接続させる電気コネクタ（例えば、実施形態におけるレセプタクルコネクタ５０）である。その上で、前記コンタクトの接触部は、前記ハウジングに保持された保持部（例えば、実施形態における保持部７１）に繋がって前記受容空間の入口に向けて斜め内方に延びるとともに先端が開放された二股状の二本の接触腕部（例えば、実施形態における接触腕部７６，７６）を有し
、前記二本の接触腕部にそれぞれ前記相手接触部と接触する接触局部（例えば、実施形態における接触局部７６ａ，７６ａ）が設けられ、これら二つの接触局部は、前記相手電気部品の相手接続部を前記受容空間内に受容して前記相手接触部と接触するときに、前記受容方向およびその直交方向に位置をずらして接触するように設けられている。
【０００８】
なお、上記構成の電気コネクタにおいて、前記二本の接触腕部の先端の位置が揃っていることが好ましい。
【０００９】
また、上記構成の電気コネクタにおいて、前記コンタクトは、前記保持部に繋がって逆Ｕ字状に曲げられた第１曲部（例えば、実施形態における第１曲部７３）および前記第１曲部に繋がってＵ字状に曲げられた第２曲部（例えば、実施形態における第２曲部７４）を有し、前記第２曲部に前記接触部が繋がって設けられていることが好ましい。
【００１０】
また、上記構成の電気コネクタにおいて、前記二本の接触腕部の間隔が基端側よりも先端側の方が狭くなっていることが好ましい。
【００１１】
また、上記構成の電気コネクタにおいて、前記接触局部の前記相手接触部と接触する面が曲面状に形成されていることが好ましい。
【発明の効果】
【００１２】
本発明に係る電気コネクタによれば、コンタクトの接触部は、ハウジングに保持された保持部に繋がって受容空間の入口に向けて斜め内方に延びるとともに先端が開放された二股状の二本の接触腕部を有し、これら二本の接触腕部にそれぞれ相手接触部と接触する接触局部が設けられ、これら二つの接触局部は、相手電気部品の相手接続部を受容空間内に受容して相手接触部と接触するときに、受容方向およびその直交方向に位置をずらして接触するように設けられている。このように二本の接触腕部にそれぞれ設けられた二つの接触局部により、コンタクトの接触部と相手接触部が２点接触するため、従来の１点接触の電気コネクタよりも接続安定性を向上させることができる。また、二つの接触局部が受容方向に位置をずらして設けられているため、一方の接触局部が相手接触部と接触した後に、他方の接触局部が相手接触部と接触する（時差接触する）ので、従来の１点接触の電気コネクタよりも、相手電気部品の接続部を受容（嵌合）させる時の操作感を滑らかに（柔らかく）することができる。また、横方向（受容方向に直交する方向）にずれた二股状の接触腕部を有する構成であるため、各腕部が独立して弾性変形して接触局部が相手接触部と接触するので、接触信頼性（接続安定性）を高くすることができる。
【００１３】
なお、上記構成の電気コネクタにおいて、コンタクトにおける二本の接触腕部の先端の位置が揃うように構成した場合、この部分を見てコンタクト製造後の品質検査を簡単に行うことができる。すなわち、二本の接触腕部の先端が揃っているかいないかを検査することにより、そのコンタクトが不良品であるか否かの判断を容易に行うことができ、コンタクトの品質検査が容易になる。
【００１４】
また、上記構成の電気コネクタにおいて、コンタクトが、ハウジングに保持された保持部に繋がって逆Ｕ字状に曲げられた第１曲部およびこの第１曲部に繋がってＵ字状に曲げられた第２曲部を有し、この第２曲部に接触部が繋がって設けられるように構成されると、相手電気部品が受容（嵌合）されてコンタクトの接触部が押圧されたときに、第１および第２曲部により形成されるＳ字形状部分の弾性変形により、接触部は内方に移動する。このため、接触部における二つの接触局部は略平行かつ直線的に移動し、二つの接触局部の接触圧を均一に保ったままそれぞれ相手接触部に確実に接触させることができ、接続安定性をより向上させることができる。
【００１５】
また、上記構成の電気コネクタにおいて、コンタクトにおける二本の接触腕部の間隔が基端側よりも先端側の方が狭くなるように構成されると、二本の接触腕部が互いに離れる方向に変形し難くなるため、二本の接触腕部が互いに離れる方向に座屈する可能性を低減させることができる。
【００１６】
また、上記構成の電気コネクタにおいて、コンタクトにおける接触局部の相手接触部と接触する面が曲面状に形成されて構成されると、接触圧を集中させることができるため、接続安定性をより向上させることができる。
【図面の簡単な説明】
【００１７】
【図１】プラグコネクタ（相手電気部品）を示す斜視図である。
【図２】上記プラグコネクタを下方から見た斜視図である。
【図３】図１における矢印III‐IIIに沿って示す断面図である。
【図４】図１における矢印III‐IIIに沿って示す断面斜視図である。
【図５】本発明に係るレセプタクルコネクタを示す斜視図である。
【図６】上記レセプタクルコネクタを下方から見た斜視図である。
【図７】上記レセプタクルコネクタを示す斜視図（一部断面図）である。
【図８】（ａ）は図５における矢印VIII‐VIIIに沿って示す断面図であり、（ｂ）は図５における矢印VIII‐VIIIに沿って示す断面斜視図である。
【図９】上記レセプタクルコネクタを構成するレセプタクルコンタクトを示し、（ａ）は正面図であり、（ｂ）は背面図である。
【図１０】上記レセプタクルコンタクトを示し、（ａ）は右側面図であり、（ｂ）は左側面図である。
【図１１】上記レセプタクルコンタクトを示し、（ａ）は平面図であり、（ｂ）は底面図である。
【図１２】上記レセプタクルコンタクトを示し、（ａ）は斜視図であり、（ｂ）は下方から見た斜視図である。
【図１３】上記レセプタクルコネクタとプラグコネクタが嵌合した状態を示す断面斜視図である。
【発明を実施するための形態】
【００１８】
以下、本発明の好ましい実施形態について図面を参照しながら説明する。本発明の一実施形態に係る電気コネクタを有するコネクタ装置１を、図１、図５および図１３等に示している。なお、以下では、説明の便宜上、各図中に示す前後、左右および上下の矢印の方向をそれぞれ前後方向、左右方向および上下方向と称して説明する。
【００１９】
コネクタ装置１は、プラグコネクタ１０と、レセプタクルコネクタ５０とを備えて構成されており、プラグコネクタ１０とレセプタクルコネクタ５０を嵌合させることにより、プラグコネクタ１０が取り付けられる基板（図示せず）とレセプタクルコネクタ５０が取り付けられる基板（図示せず）とを電気的に接続させるようになっている。
【００２０】
まず、プラグコネクタ１０の構成について、図１〜図４を参照して説明する。プラグコネクタ１０は、略矩形箱状のプラグハウジング２０と、このプラグハウジング２０の長手方向に二列の整列状態で保持された複数のプラグコンタクト３０と、プラグハウジング２０を基板に取り付けるための一対の取付金具４０とを備えて構成される。
【００２１】
プラグハウジング２０は、基板上に固定状態で取り付けられる固定側ハウジング２１と、この固定側ハウジング２１に対して相対移動可能に取り付けられた可動側ハウジング２５とを有して構成されている。固定側ハウジング２１は、樹脂等の電気絶縁性材料を用いて一体成形されており、略矩形板状に形成された底壁部２２と、この底壁部２２の左右端
部にそれぞれ立設された左右の壁部２３，２３と、底壁部２２の前後端部にそれぞれ立設された前後の壁部２４，２４とを有し、中央にこれら四つの壁部に囲まれて上方に開放された可動側ハウジング収容空間２１ｓ（可動側ハウジング２５の底壁部２６を収容する空間）が形成されている。なお、前後壁部２４，２４の高さ（上方向への長さ）は、左右壁部２３，２３よりも高く形成されている。
【００２２】
左右壁部２３，２３の外面にはそれぞれ、上下方向に延びるコンタクト保持溝２３ａ，２３ａが前後方向に複数並んで形成されており、これらのコンタクト保持溝２３ａ，２３ａにそれぞれプラグコンタクト３０が保持されるようになっている。前後壁部２４，２４の外面には、取付金具４０を保持する金具保持部２４ａが設けられている。底壁部２２の下面には、固定側ハウジング２１を基板上に取り付けるときに位置決めするための位置決め突起２２ａが設けられている。
【００２３】
可動側ハウジング２５は、樹脂等の電気絶縁性材料を用いて一体成形されており、略矩形板状に形成された底壁部２６と、この底壁部２６の左右端部にそれぞれ立設された左右の壁部２７，２７と、底壁部２６の前後端部にそれぞれ立設された前後の壁部２８，２８とを有し、中央にこれら四つの壁部に囲まれて上方に開放された嵌合凹部２５ｓ（レセプタクルコネクタ５０のレセプタクルハウジング５１を受容する空間）が形成されている。
【００２４】
底壁部２６は、固定側ハウジング２１の可動側ハウジング収容空間２１ｓに収容可能な外形形状に形成されている。底壁部２６の内面には、前後方向に延びる板状のプラグ部２９が立設され、このプラグ部２９は嵌合凹部２５ｓ内に位置している。プラグ部２９の左右側面にはそれぞれ、上下方向に延びるコンタクト収容溝２９ａ，２９ａが前後方向に複数並んで形成されている。底壁部２６には、コンタクト収容溝２９ａ，２９ａと繋がって上下に貫通したコンタクト保持孔２６ａ，２６ａが前後方向に複数並んで形成されている。
【００２５】
左右壁部２７，２７の上端部には、外方に延びてその先端が下方に延びるコンタクト収容壁部２７ａが形成され、このコンタクト収容壁部２７ａの内面と壁部２７の外面とによって囲まれたコンタクト収容空間２７ｓ（プラグコンタクト３０の曲部３３を収容する空間）が形成されている。前後壁部２８，２８の上面には、取付金具４０の折曲部４４を受容する金具受容溝２８ａが形成されている。
【００２６】
プラグコンタクト３０は、導電性の金属薄板を打ち抜き加工等を行って図３および図４に示すような形状に曲げて形成されている。プラグコンタクト３０は、固定側ハウジング２１のコンタクト保持溝２３ａに保持される保持部３１と、保持部３１の下部から外方に延びる脚部（リード部）３２と、保持部３１の上部に繋がって逆Ｕ字状に曲げられた曲部３３と、曲部３３から下方に延びてその先端が左右方向に延びるＬ字状の延長部３４と、延長部３４に繋がって上方に延びる接触部３５とを有して構成される。接触部３５の上部（嵌合凹部２５ｓ内に露出する部分）および保持部３１は、他の部分（脚部３２、曲部３３および延長部３４）よりも前後幅が大きく形成されている。脚部３２は、プラグコネクタ１０を基板上に取り付ける際に、その基板上の配線パターンに半田付けされ、プラグコンタクト３０と基板上の配線パターンが電気的に接続されるようになっている。
【００２７】
取付金具４０は、金属薄板を打ち抜き加工等を行って略平板状に形成されており、逆コ字状の基部４１と、基部４１の下端部からそれぞれ左右外方に延びる脚部４２，４２と、基部４１の左右中央部から下方に延びて固定側ハウジング２１の金具保持部２４ａの挿入孔に挿入されて保持される保持部（図示せず）と、基部４１の左右中央部から上方に延びてその先端が略直角に曲げられた折曲部４４とを有して構成される。左右の脚部４２，４２は、プラグコネクタ１０を基板上に取り付ける際に、その基板上のマウントパターンに
半田付けされ、基板に対してプラグコネクタ１０が強固に固定されるようになっている。
【００２８】
このような構成のプラグコネクタ１０では、可動側ハウジング２５に取り付けたプラグコンタクト３０の保持部３１を固定側ハウジング２１のコンタクト保持溝２３ａに挿入し、保持部３１をコンタクト保持溝２３ａに保持させることにより、プラグコンタクト３０を介して可動側ハウジング２５が固定側ハウジング２１に取り付けられる。ここで、可動側ハウジング２５のコンタクト収容空間２７ｓ内においてプラグコンタクト３０の曲部３３等が弾性変形することにより、固定側ハウジング２１に対して可動側ハウジング２５が前後、左右および上下方向に移動可能となっている。そして、固定側ハウジング２１の金具保持部２４ａに取付金具４０を取り付けると、取付金具４０の折曲部４４が可動側ハウジング２５の金具受容溝２８ａ内に受容され、この折曲部４４と金具受容溝２８ａにより可動側ハウジング２５の前後および左右方向の移動可能な範囲を制限している。
【００２９】
次に、上記プラグコネクタ１０と組み合わせて用いられる相手方コネクタであるレセプタクルコネクタ５０の構成について、図５〜図１２を参照して説明する。レセプタクルコネクタ５０は、プラグコネクタ１０（可動側ハウジング２５）の嵌合凹部２５ｓに嵌合可能な略矩形箱状のレセプタクルハウジング６０と、このレセプタクルハウジング６０の長手方向に二列の整列状態で保持された複数のレセプタクルコンタクト７０とを備えて構成される。
【００３０】
レセプタクルハウジング６０は、樹脂等の電気絶縁性材料を用いて一体成形されており、略矩形板状に形成された底壁部６１と、この底壁部６１の左右端部にそれぞれ立設された左右の壁部６２，６２と、底壁部６１の前後端部にそれぞれ立設された前後の壁部６３，６３とを有し、中央にこれら四つの壁部に囲まれて上方に開放されたプラグ部受容空間６０ｓ（プラグコネクタ１０（可動側ハウジング２５）のプラグ部２９を受容する空間）が形成されている。
【００３１】
左右壁部６２，６２の内面にはそれぞれ、上下方向に延びるコンタクト収容溝６２ａ，６２ａが前後方向に複数並んで形成されており、これらのコンタクト収容溝６２ａ，６２ａにそれぞれレセプタクルコンタクト７０が収容されるようになっている。底壁部６１には、コンタクト収容溝６２ａ，６２ａと繋がって上下に貫通したコンタクト保持孔６１ａ，６１ａが前後方向に複数並んで形成されている。底壁部６１の下面における前後端部にはそれぞれ、金属薄板をＬ字状に折り曲げて形成された取付片６５が挿入されて保持される保持孔６１ｂ，６１ｂが形成されている（図７を参照）。この保持孔６１ｂ，６１ｂに保持された取付片６５，６５は、レセプタクルコネクタ５０を基板上に取り付ける際に、その基板上のマウントパターンに半田付けされ、基板に対してレセプタクルコネクタ５０が強固に固定されるようになっている。底壁部６１の下面には、レセプタクルコネクタ５０を基板状に取り付けるときに位置決めするための位置決め突起６１ｃが設けられている。
【００３２】
レセプタクルコンタクト７０は、導電性の金属薄板を打ち抜き加工等を行って図９および図１２に示すような形状に曲げて形成されている。レセプタクルコンタクト７０は、レセプタクルハウジング６０のコンタクト保持孔６１ａに保持される保持部７１と、保持部７１の下部から外方に延びる脚部（リード部）７２と、保持部７１の上部に繋がって逆Ｕ字状に曲げられた第１曲部７３と、第１曲部７３に繋がってＵ字状に曲げられた第２曲部７４と、第２曲部７４に繋がって斜め上方に延びる接触部７５とを有して構成される。
【００３３】
保持部７１および接触部７５は、他の部分（脚部７２、第１曲部７３および第２曲部７４）よりも前後幅が大きく形成されている。保持部７１の前後側面にはそれぞれ複数の係止凸部７１ａが形成されており、これらの係止凸部７１ａがレセプタクルハウジング６０
のコンタクト保持孔６１ａの内面と係合することによりレセプタクルコンタクト７０がレセプタクルハウジング６０に保持されるようになっている。脚部７２は、レセプタクルコネクタ５０を基板上に取り付ける際に、その基板上の配線パターンに半田付けされ、レセプタクルコンタクト７０と基板上の配線パターンが電気的に接続されるようになっている。
【００３４】
第１曲部７３は、逆Ｕ字状の内側および外側の角部において面取り加工がなされており、第２曲部７４は、Ｕ字状の内側の角部において面取り加工がなされている。レセプタクルコンタクト７０は、保持部７１と接触部７５を繋ぐ部分において、逆Ｕ字状の第１曲部７３およびＵ字状の第２曲部７４によりＳ字状に形成されている。
【００３５】
接触部７５は、レセプタクルコンタクト７０がレセプタクルハウジング６０に保持された状態において、第２曲部７４の端部からレセプタクルハウジング６０のプラグ部受容空間６０ｓの入口に向けて斜め内方に延びて形成されている（図８を参照）。そして、接触部７５は、先端が開放された二本の接触腕部７６，７６を有し、これら接触腕部７６，７６により左右方向から見て二股状に形成されている。図１０（ａ）に示すように、二本の接触腕部７６，７６の互いの間隔は、基端側よりも先端側の方が狭くなるようになっている（基端側の間隔ｄ1＞先端側の間隔ｄ2）。
【００３６】
二本の接触腕部７６，７６にはそれぞれ、先端側を左右方向に折り曲げて形成された接触局部７６ａ，７６ａ（プラグコンタクト３０と接触する部分）が設けられ、二つの接触局部７６ａ，７６ａは互いに上下方向（プラグコネクタ１０との嵌合方向）および前後方向に位置をずらして設けられている。二本の接触腕部７６，７６は互いに先端部の位置（高さ）が揃うようになっている。接触局部７６ａ，７６ａはそれぞれ、プラグコンタクト３０と接触する面が曲面状に形成されている。
【００３７】
次に、以上のように構成されるコネクタ装置１において、プラグコネクタ１０とレセプタクルコネクタ５０とを嵌合させて電気接続させる場合について、図３、図８および図１３を参照して説明する。なお、図１３では、プラグコネクタ１０に対してレセプタクルコネクタ５０を上方から嵌合させた場合について示している。
【００３８】
両コネクタ１０，５０を電気接続させるには、レセプタクルコネクタ５０のレセプタクルハウジング６０をプラグコネクタ１０の（可動側ハウジング２５）の嵌合凹部２５ｓに位置を合わせ、このままプラグコネクタ１０とレセプタクルコネクタ５０を合わせる。これにより、レセプタクルハウジング６０が嵌合凹部２５ｓに徐々に嵌合されるとともに、プラグコネクタ１０（可動側ハウジング２５）のプラグ部２９がレセプタクルハウジング６０のプラグ部受容空間６０ｓに徐々に嵌合される。こうしてプラグ部２９がプラグ部受容空間６０ｓに徐々に嵌合されていくと、レセプタクルコンタクト７０における接触部７５の二本の接触腕部７６，７６にそれぞれ設けられた二つの接触局部７６ａ，７６ａのうち、プラグ部受容空間６０ｓの入口側に設けられた方の接触局部７６ａが、先ず、プラグ部２９に設けられたプラグコンタクト３０の接触部３５に接触する。その後に、他方の接触局部７６ａがプラグコンタクト３０の接触部３５に接触する。この結果、レセプタクルコンタクト７０が弾性変形してプラグコンタクト３０とレセプタクルコンタクト７０とが弾性的に２点で接触する。これにより、プラグコネクタ１０が取り付けられる基板とレセプタクルコネクタ５０が取り付けられる基板とが、プラグコネクタ１０およびレセプタクルコネクタ５０を介して電気的に接続された状態となり、両基板の間における信号伝送が可能となる。
【００３９】
このようにコネクタ装置１では、レセプタクルコネクタ５０において、レセプタクルコンタクト７０の接触部７５が、第２曲部７４の端部からレセプタクルハウジング６０のプ
ラグ部受容空間６０ｓの入口に向けて斜め内方に延びるとともに先端が開放された二股状の二本の接触腕部７６，７６を有する。そして、二本の接触腕部７６，７６にそれぞれプラグコンタクト３０と接触する接触局部７６ａ，７６ａが設けられ、これら二つの接触局部７６ａ，７６ａが、プラグコネクタ１０のプラグ部２９をプラグ部受容空間６０ｓ内に受容してプラグコンタクト３０の接触部３５と接触するときに、上下方向（プラグコネクタ１０との嵌合方向）および前後方向に位置をずらして接触するように設けられている。このように二本の接触腕部７６，７６にそれぞれ設けられた二つの接触局部７６ａ，７６ａにより、レセプタクルコンタクト７０の接触部７５とプラグコンタクト３０の接触部３５が２点接触するため、従来の１点接触の電気コネクタよりも接続安定性を向上させることができる。また、二つの接触局部７６ａ，７６ａがプラグコネクタ１０との嵌合方向（受容方向）に位置をずらして設けられているため、プラグ部受容空間６０ｓの入口側に設けられた方の接触局部７６ａがプラグコンタクト３０の接触部３５と接触した後に、他方の接触局部７６ａがプラグコンタクト３０の接触部３５と接触する（時差接触する）。このため、従来の１点接触の電気コネクタよりも、プラグコネクタ１０を嵌合させる時の操作感を滑らかに（柔らかく）することができる。また、前後方向（プラグコネクタ１０との嵌合方向に直交する方向）にずれた二股状の接触腕部７６，７６を有する構成であるため、各腕部７６，７６が独立して弾性変形して接触局部７６ａ，７６ａがプラグコンタクト３０の接触部３５と接触するので、接触信頼性（接続安定性）を高くすることができる。
【００４０】
なお、レセプタクルコネクタ５０において、レセプタクルコンタクト７０における二本の接触腕部７６，７６の先端部の位置（高さ）が揃うように構成した場合、この部分を見てコンタクト製造後の品質検査を簡単に行うことができる。すなわち、二本の接触腕部７６，７６の先端が揃っているかいないかを検査することにより、そのコンタクトが不良品であるか否かの判断を容易に行うことができ、コンタクトの品質検査が容易になる。また、レセプタクルコンタクト７０が、保持部７１と接触部７５を繋ぐ部分において逆Ｕ字状の第１曲部７３およびＵ字状の第２曲部７４によりＳ字状に形成されている。このため、プラグコネクタ１０のプラグ部２９が受容（嵌合）されて接触部７５が押圧されたときに、第１および第２曲部７３，７４により形成されるＳ字形状部分の弾性変形により、接触部７５は内方に移動する。このため、接触部７５における二つの接触局部７６ａ，７６ａは略平行かつ直線的に移動し、二つの接触局部７６ａ，７６ａの接触圧を均一に保ったままそれぞれプラグコンタクト３０の接触部３５に確実に接触させることができ、接続安定性をより向上させることができる。
【００４１】
また、レセプタクルコネクタ５０において、レセプタクルコンタクト７０における二本の接触腕部７６，７６の間隔が基端側よりも先端側の方が狭くなる構成されている（図１０（ａ）に示すように、基端側の間隔ｄ１＞先端側の間隔ｄ２）。このため、二本の接触腕部７６，７６が互いに離れる方向に変形し難くなり、二本の接触腕部７６，７６が互いに離れる方向に座屈する可能性を低減させることができる。また、レセプタクルコンタクト７０における接触局部７６ａ，７６ａのプラグコンタクト３０の接触部３５と接触する面が曲面状に形成されているため、接触圧を集中させることができ、接続安定性をより向上させることができる。
【００４２】
これまで本発明の好ましい実施形態について説明したが、本発明の範囲は上述の実施形態に示したものに限定されない。例えば、上述の実施形態では、レセプタクルコネクタ５０（レセプタクルハウジング６０）のプラグ部受容空間６０ｓに対してプラグコネクタ１０のプラグ部２９が嵌合されて、レセプタクルコンタクト７０とプラグコンタクト３０が接触して電気接続される構成について説明した。しかしながら、本発明の一実施形態に係るレセプタクルコネクタ５０に対して嵌合接続される相手側電気部品はプラグコネクタ１０でなくてもよい。例えば、レセプタクルコネクタ５０のプラグ部受容空間６０ｓに直接
基板が挿入されて、レセプタクルコンタクト７０と基板上の接続端子が接触して電気接続される構成であってもよい。
【符号の説明】
【００４３】
１０  プラグコネクタ（相手電気部品）
３０  プラグコンタクト
５０  レセプタクルコネクタ
６０  レセプタクルハウジング（ハウジング）
６０ｓ  プラグ部受容空間（受容空間）
７０  レセプタクルコンタクト（コンタクト）
７１  保持部
７３  第１曲部
７４  第２曲部
７５  接触部
７６，７６  接触腕部
７６ａ，７６ａ  接触局部
【図１】
2014010964.tif 000003
【図２】
2014010964.tif 000004
【図３】
2014010964.tif 000005
【図４】
2014010964.tif 000006
【図５】
2014010964.tif 000007
【図６】
2014010964.tif 000008
【図７】
2014010964.tif 000009
【図８】
2014010964.tif 000010
【図９】
2014010964.tif 000011
【図１０】
2014010964.tif 000012
【図１１】
2014010964.tif 000013
【図１２】
2014010964.tif 000014
【図１３】
2014010964.tif 000015